【事件の表示】
　平成　４年特許願第　１２８７５号「インクシートおよびこのインクシートを用いたプリンタ装置」拒絶査定に対する審判事件［平成　５年　８月１０日出願公開、特開平　５−２０１１０８］について、次のとおり審決する。
【結　論】
　本件審判の請求は、成り立たない。
【理　由】
１．［手続の経緯・本願発明の内容］
　本願は、平成４年１月２８日の出願であって、その請求項１乃至２に係る発明は、平成１０年２月２３日付全文補正明細書及び補正図面と出願当初の図面、更に、平成１０年７月１７日、平成１０年１１月６日の各手続補正の記載からみて、特許請求の範囲の請求項１、２に記載された次のとおりのものと認める。
【請求項１】一画面分の先頭に配置され、昇華したインクを定着させるための光を透過しない受像層と、カラー画像を形成するための複数色のインク、例えばイエロー、マゼンタ、シアンの３色がそれぞれ光を透過しない受像層、イエロー、マゼンタ、シアンの順番で面順次にベースフィルム上に複数画面分繰り返し塗布されてロール状に巻き取られているインクシートであって、上記インクシートの上記光を透過しない受像層並びに各色の層と同じ幅で、上記光を透過しない受像層並びに各色の層間の先頭位置に、上記光を透過しない受像層と同一の材料でなる開始位置を示すマークを施していることを特徴とするインクシート。
【請求項２】請求項１記載のインクシートを用いて普通紙上にカラー印画をする際のプリント方法であって、受像層と同一材料でなる開始位置マークにて位置検出を行なうとともに、最初に普通紙の表面にインクを定着させるための受像層を熱転写方式により形成し、次に昇華形熱転写方式によって複数色のインクを上記記録紙上に転写した受像層の上に順次定着させてカラー画像を形成することを特徴とするプリント方法。
　
２．［査定の理由・引用例］
　これに対して、原査定の拒絶の理由に引用した、特開平１−２０６０９４号公報（以下、「引用例１」という。）、特開昭６１−１７７２６０号公報（以下、「引用例２」という。）、特開平１−１２５２６９号公報（以下、「引用例３」という。）には、それぞれ下記の事項が記載されている。
　
（１）特開平１−２０６０９４号公報（引用例１）
　「本発明の色彩転写シートは、合成樹脂を含む熱溶融性の受容層と、熱昇華性染料より成る複数色の色彩層をシート基材上に設けて形成する。また、本発明の熱転写記録方法は、加熱手段により色彩転写シートの受容層を紙類による記録媒体に転写して、この記録媒体の表面に染料を受容する合成樹脂による平滑な受容層を形成し、該受容層上に加熱手段により前記色彩転写シートの複数色の色彩層を転写して多色画像を形成する。」（２頁左下欄２〜１１行）、
　「第１図は本発明による色彩転写シートの一実施例を示す一部分正面図で、・・・１は薄い合成樹脂フィルムから成るシート基材、２は熱溶融性の受容層、３ａ〜３ｃは色彩層、４及び４ａ〜４ｃは色彩検知マークである。前記熱溶融性の受容層２は・・・エステル結合、ウレタン結合、アミド結合等から成る合成樹脂を熱溶融性のバインダに混合したもので、・・・白色あるいは透明に紙類に受容されるもの・・・、色彩層３ａ〜３ｃは熱昇華性材料に染料を分散混合した熱昇華性染料より成り、・・・加熱により前記染料が昇華するもの・・・。これら受容層２及び色彩層３ａ〜３ｃは、シート基材１上にその両端部を除いて長手方向に一定の順序でそれぞれ所定の長さづつ繰り返して塗布形成され、そして前記色彩検知マーク４及び４ａ〜４ｃは受容層２及び色彩層３ａ〜３ｃと対応させてシート基材１上の一側に設けられている。」（２頁右下欄８行〜３頁左上欄１１行）、
　「本実施例の記録方法は、まず色彩転写シート６の受容層２をプラテン９で記録媒体１０に重ね合わせる。つまり記録媒体１０の画像を記録すべき行に受容層２を位置決めする。この場合の位置決めは、受容層２に対応して色彩転写シート６に設けられている色彩検知マーク４を検知する図示しないセンサの検知信号に基づいて行われる。この位置決めの後、加熱手段１１を色彩転写シート６及び記録媒体１０を介してプラテン９に当接させ、この加熱手段１１の全ての発熱素子を発熱させる。これにより・・・溶融した受容層２が記録媒体１０の表面に転写される。ここで記録媒体１０は・・・普通紙であり、・・・平滑な受容層が記録媒体１０の表面に形成される。」（３頁左下欄６行〜右下欄５行）、
　「次の色彩層性染料層３ａ〜３ｃの転写は従来と同様に行われる。」（３頁右下欄１３〜１４行）、
　「無論、これら色彩層3a〜3cの受容層に対する位置決めは色彩検知マーク4a〜4cを前記センサで検知することにより行われる。」（４頁左上欄５〜７行）。
　
（２）特開昭６１−１７７２６０号公報（引用例２）
　「従来技術では・・・３原色の印刷を行うために、・・・リボンの色境界を表すマークがあり、かつそのマークの色が黒であることが前提であった。」（１頁右欄１２〜１５行）、
　「本発明のカラープリンタは、印画紙の頭出し位置の検出のためのマークにシアンの色を使用しリボンの色境界の表示にも同様にシアンを用いたことを特徴とする。」（２頁左上欄１０〜１３行）、
　「リボンの色判別は・・・３原色の光頭にシアンのマーカが塗られてあり・・・３原色の色別が可能となる。リボンのマーク３１の塗り付けはリボンのシアンのインクと同じ物を使用しマーク３１のために他の設備を必要としない。」（２頁左下欄１〜７行）、
　「検出光は透過光の他、反射光でもよい。また、マーカはリボン等の転写体上に特別に設けられた３原色部でもよいが、マーカを特別に設けず、３原色部等の印刷部自体としてもよい。・・・シアンのマーカは・・・転写体に印刷用シアンを形成すると同時に形成できる。」（３頁左上欄１０〜１６行）。
　
（３）特開平１−１２５２６９号公報（引用例３）
　「被転写シートにおいて色材を受容し定着するための受容層と感熱インク層とを転写シート基体上の同一面上に面順次に配置し、かつ、該感熱インク層の転写前に、該受容層を被転写シート上に剥離転写しうるように形設した・・・熱転写記録用転写シート。」（特許請求の範囲）、
　「第１図は、本発明の熱転写記録用転写シート・・・の一例を示す図面であって、図中、（１）は受容層部、（２）はイエローインク部、（３）はマゼンタインク部、（４）はシアンインク部・・・である。・・・同一基体上にインク層（２）、（３）、（４）を順次塗布した面順次方式の転写シートであって、・・・３色インク部の前に受容層部1を設け、イエローインク部（２）を熱転写する前にこの受容層部が熱転写され、被転写シート表面に受容層を形成し、この転写された受容層に３色インクを順次熱転写するようになっている。・・・インク層は、例えば上記した如く、（２）イエローインク部、（３）マゼンタインク部、（４）シアンインク部の順になっている。この順序は、色再現特性に応じて適宜選択することができる。」（２頁左下欄末行〜右下欄末行）、
　「受容層（７）としては、昇華型染料を使った場合は、染料の染着性の高い熱可塑性線状飽和ポリエステル樹脂を主成分として、更に白色度を付与するための無機顔料、インク転写時の転写シートとの熱融着を防ぐための耐熱樹脂等から成っている。」（３頁左上欄９〜１４行）、
　４頁右下欄３〜末行には、受容層の組成物の具体的実施例を記載し、「酸化チタン粉は、白色顔料として分散し、被転写シート基体の種類に依らず受容層（７）の白色度を増すために用いられる。」と記載されている。
　
３．［対比・判断］
　本願の請求項１に係る発明と引用例１のものとを対比する。
　引用例１には、受容層２は白色あるいは透明に紙類に受容される旨が記載されており、受容層２として光を透過しないものを使用し得ることが開示されているので、両者は、
「一画面分の先頭に配置され、昇華したインクを定着させるための光を透過しない受像層（引用例１における受容層に相当。以下、括弧内の記載は、引用例１のものを指す。）と、カラー画像を形成するための複数色のインク、例えばイエロー、マゼンタ、シアンの３色がそれぞれ光を透過しない受像層（受容層）、イエロー、マゼンタ、シアンの各色層をベースフィルム（シート基材）上に複数画面分繰り返し塗布されてロール状に巻き取られているインクシート（色彩転写シート）であって、上記インクシート（色彩転写シート）には、光を透過しない受像層及び各色層の各開始位置を示すマーク（色彩検知マーク）が形成されていることを特徴とするインクシート。」である点で一致し、次の点で相違する。
　相違点１：ベースフィルム上に繰り返し塗布される複数色のインクの順序が、請求項１に係る発明では、イエロー、マゼンタ、シアンの順であり、引用例１では、イエロー、シアン、マゼンタの順である点。
　相違点２：受像層とマークとの関連について、請求項１に係る発明では、光を透過しない受像層をマーク材料に用いるとし、引用例１では、マーク材料を特定する記載がない点。
　相違点３：開始位置を示すマークの形成位置について、請求項１に係る発明では、光を透過しない受像層並びに各色の層間の先頭位置に施し、光を透過しない受像層並びに各色の層の幅と同じ幅に形成されるとし、引用例１では、マークの形成位置は光を透過しない受像層並びに各色の層の側縁に形成している点。
　
　これらの相違点について検討する。
　まず、相違点１について。
　請求項１に係る発明の課題と同様な課題のもとに、記録紙として普通紙の使用を可能とするインクシート（昇華したインクを定着させる受像層をインクシートに形成し、この受像層を普通紙に転写した後に、カラー画像を得るために複数色のインクを転写することができるインクシート）において、受像層と複数色のインク層を塗布した面順次方式とし、その複数色のインク層をイエロー、マゼンタ、シアンの順に形成することは周知である（例えば、引用例３、平成９年１２月１８日付け拒絶理由で通知した特開平２−１２２９４６号公報等参照。）。
　してみると、インクシート上の複数色のインクの順序を、引用例１記載の代わりに、請求項１のように構成することは、色再現特性に応じて、当業者が適宜変更し得る程度の事項に過ぎない。
　次に、相違点２について。
　引用例２には、「リボンのマーク３１の塗り付けはリボンのシアンのインクと同じ物を使用しマーク３１のために他の設備を必要としない。」との記載がある。即ち、引用例２には、位置決めのマークとして、インクシート上に形成されている所望の色インク（具体的にはシアン）を用いることにより、マーク形成の材料を別途必要とせずにマーク形成を可能とすることが記載されている。
　してみると、インクシート上に塗布されている受像層の材料、複数色のインクのうちから光を透過しない受像層の材料を利用して位置決めのマークを形成することは、引用例２記載等の考え方から当業者が容易に想到しうるものである。
　相違点３について。
　面順次にインク層が形成されたインクリボン（インクシート）において、各色識別マークを、各色の層間の先頭位置に施し、各色の層の幅の範囲内に収めることは、周知である（例えば、特開昭６０−２３０９１号公報、実願昭５８−１０２１号（実開昭５９−１０７２５８号公報）のマイクロフィルム等参照）。
　したがって、引用例１に示されるように、マークの形成位置をインクシートの側縁に設ける代わりに、受像層並びに各色の層間の先頭位置に設けることは当業者が必要に応じて適宜採用し得る程度の事項である。
　
　［請求項２に係る発明についての判断］
　請求項１に係る発明が、前記のように引用例１〜引用例３、周知技術から容易に想到しうる以上、その請求項１に係る発明のインクシートを用いて普通紙上にカラー印画をする際のプリント方法についても、引用例１記載されたプリント方法（受像層に対応する開始位置マークにて位置検出を行ない、最初に普通紙の表面にインクを定着させるための受像層を熱転写方式により形成し、次に昇華形熱転写方式によって複数色のインクを上記記録紙上に転写した受像層の上に順次定着させてカラー画像を形成する方法）に基づいて、当業者が容易に想到しうる程度のものである。
　
４．［むすび］
　以上の通りであるから、本願の請求項１、請求項２に係る発明は、引用例１〜３、周知技術に基づいて当業者が容易に発明をすることができたものと認められるから、特許法第２９条第２項の規定により特許を受けることができない。
  よって、結論の通り審決する。